【手続補正書】
【提出日】平成24年12月7日(2012.12.7)
【手続補正１】
【補正対象書類名】特許請求の範囲
【補正対象項目名】全文
【補正方法】変更
【補正の内容】
【特許請求の範囲】
【請求項１】
血管系内に挿入するための回転式血管内超音波プローブを製造する方法であって、
該方法は、
チャネルと連絡する陥凹を有する射出成形金型を提供することと、
回転を通して血管内画像を取得するための血管内超音波変換器を提供することであって、該変換器は、正面層と、裏面層と、該正面層の上に配置された犠牲層とを含み、該変換器は、ワイヤに連結されている、ことと、
該陥凹内に該変換器を配置することと、
該チャネル内に該ワイヤを配置することと、
該チャネル内へと該ワイヤの上で駆動ケーブルをスライドさせることと、
材料を該陥凹および該チャネル内に注入することにより、該変換器および該駆動ケーブルに取り付けられた変換器筐体を形成することと、
該変換器筐体が形成された後に該犠牲層を除去することと
を含む、方法。
【請求項２】
前記変換器筐体は、人間の血管系内で使用するためのサイズおよび形状に決められている、請求項１に記載の方法。
【請求項３】
前記変換器筐体は、剛体である、請求項１に記載の方法。
【請求項４】
前記変換器筐体が形成された後に前記変換器のサイズを低減することをさらに含む、請求項１に記載の方法。
【請求項５】
前記変換器筐体が形成された後に前記変換器のサイズを低減することは、該変換器の一部をトリミングすることを含む、請求項４に記載の方法。
【請求項６】
前記変換器筐体が形成された後に前記変換器のサイズを低減することは、該変換器筐体の外側周縁に隣接する破断線に沿って該変換器をトリミングすることを含む、請求項４に記載の方法。
【請求項７】
前記変換器筐体が形成された後に前記変換器のサイズを低減することは、該変換器を研削することを含む、請求項４に記載の方法。
【請求項８】
前記変換器は、回転式血管内超音波撮像のために構成される、請求項１に記載の方法。
【請求項９】
前記変換器、前記変換器筐体、および前記駆動ケーブルは、変換器シャフトを形成する、請求項１に記載の方法。
【請求項１０】
カテーテル内に前記変換器シャフトを挿入することをさらに含む、請求項９に記載の方法。
【請求項１１】
カテーテル内に前記変換器、前記変換器筐体、および前記駆動ケーブルを挿入することをさらに含む、請求項１に記載の方法。
【請求項１２】
前記変換器筐体は、概して、円筒形である、請求項１に記載の方法。
【請求項１３】
前記変換器筐体は、ドーム状端部を有する、請求項１に記載の方法。
【請求項１４】
前記変換器筐体は、線形形状を有する、請求項１に記載の方法。
【請求項１５】
前記材料は、エポキシ樹脂である、請求項１に記載の方法。
【請求項１６】
前記ワイヤの上で駆動ケーブルをスライドさせることは、前記変換器に隣接して前記陥凹内へと前記駆動ケーブルの部分を留置することを含む、請求項１に記載の方法。
【請求項１７】
前記射出成形金型は、嵌合して前記陥凹を形成する第１の成形金型プレートおよび第２の成形金型プレートを備える、請求項１に記載の方法。
【請求項１８】
前記第１の成形金型プレートおよび前記第２の成形金型プレートは、嵌合して前記チャネルを形成する、請求項１に記載の方法。
【請求項１９】
前記変換器は、前記変換器筐体に対して成形される唯一の変換器である、請求項１に記載の方法。
【請求項２０】
前記変換器は、圧電材料を含む、請求項１に記載の方法。
【請求項２１】
血管系内に挿入するための回転式血管内超音波プローブであって、
該プローブは、
可撓性本体を有する細長いカテーテルと、
該可撓性本体内に配置される細長い変換器シャフトと
を備え、
該変換器シャフトは、
近位端部分および遠位端部分と、
該近位端部分から該遠位端部分へと延在する駆動ケーブルと、
回転を通して血管内画像を取得するための血管内超音波変換器であって、該遠位端部分の近傍に配置される変換器と、
該遠位端部分の近傍で該駆動ケーブルおよび該血管内超音波変換器に対して射出成形される変換器筐体と
を有する、プローブ。
【手続補正２】
【補正対象書類名】明細書
【補正対象項目名】０００７
【補正方法】変更
【補正の内容】
【０００７】
さらに、回転式血管内超音波プローブを製造する方法の実施形態が、開示される。本方法は、陥凹を有する射出成形金型を提供することと、回転を通して円周方向画像を取得するために、超音波変換器を提供することであって、変換器は、ワイヤに連結される、ことと、陥凹内に、変換器を配置することと、ワイヤの上に駆動ケーブルを留置することと、射出成形金型内に材料を注入することにより、変換器および駆動ケーブルに取り付けられる、変換器筐体を形成することとを含む。
本発明は、例えば、以下の項目も提供する。
（項目１）
血管系内に挿入するための回転式血管内超音波プローブを製造する方法であって、
陥凹を有する射出成形金型を提供することと、
回転を通して円周方向画像を取得するための超音波変換器を提供することであって、該変換器は、ワイヤに連結されている、ことと、
該陥凹内に該変換器を配置することと、
該ワイヤの上に駆動ケーブルを留置することと、
材料を該射出成形金型内に注入することにより、該変換器および該駆動ケーブルに取り付けられた変換器筐体を形成することと、
を含む、方法。
（項目２）
前記変換器は、正面表面と該正面表面の上に配置された犠牲層とを有し、前記変換器筐体が形成された後、該犠牲層を除去することをさらに含む、項目１に記載の方法。
（項目３）
前記変換器は、前記陥凹内に配置された場合に、過大定寸され、前記変換器筐体が形成された後、該変換器のサイズを低減することをさらに含む、項目１に記載の方法。
（項目４）
前記変換器は、前記変換器筐体に対して成形される唯一の変換器である、項目１に記載の方法。
（項目５）
前記成形金型は、チャネルを有し、前記駆動ケーブルおよび前記ワイヤを該チャネル内に留置することをさらに含む、項目１に記載の方法。
（項目６）
前記変換器は、複数の層を含む、項目１に記載の方法。
（項目７）
前記変換器筐体は、剛体である、項目１に記載の方法。
（項目８）
前記材料は、エポキシ樹脂である、項目１に記載の方法。
（項目９）
前記変換器は、圧電材料を含む、項目１に記載の方法。
（項目１０）
前記変換器、前記変換器筐体、および前記駆動ケーブルは、変換器シャフトを形成し、カテーテル内に該変換器シャフトを挿入することをさらに含む、項目１に記載の方法。
（項目１１）
前記変換器筐体は、概して、円筒形である、項目１に記載の方法。
（項目１２）
前記変換器筐体は、ドーム状端部を有する、項目１に記載の方法。
（項目１３）
前記変換器筐体は、線形形状を有する、項目１に記載の方法。
（項目１４）
血管系内に挿入するための回転式血管内超音波プローブであって、
可撓性本体を有する細長いカテーテルと、
該可撓性本体内に配置される細長い変換器シャフトであって、
近位端部分および遠位端部分と、
該近位端部分から該遠位端部分へと延在する駆動シャフトと、
回転を通して円周方向画像を取得するための超音波変換器であって、該遠位端部分近傍に配置される変換器と、
該駆動シャフトおよび該超音波変換器に対して成形される変換器筐体と
を有する、変換器シャフトと
を備える、プローブ。
（項目１５）
前記変換器は、前記変換器筐体に対して成形される唯一の変換器である、項目１４に記載の回転式血管内超音波プローブ。
（項目１６）
前記変換器筐体は、剛体である、項目１４に記載の回転式血管内超音波プローブ。
（項目１７）
前記変換器筐体は、エポキシ樹脂で成形される、項目１４に記載の回転式血管内超音波プローブ。
（項目１８）
前記変換器は、圧電材料を含む、項目１４に記載の回転式血管内超音波プローブ。
（項目１９）
前記変換器筐体は、概して、円筒形である、項目１４に記載の回転式血管内超音波プローブ。
（項目２０）
前記変換器筐体は、線形形状を有する、項目１４に記載の回転式血管内超音波プローブ。